(57)【特許請求の範囲】
【請求項１】
作業機フレームの両側部にそれぞれ取付けられた一対の取付け主板と、
この両側の各取付け主板の下端部にそれぞれ取付けられたプラウ体と、
前記両側の各取付け主板の前側縁に沿ってそれぞれ取付けられ前記プラウ体の前面と同一面で下端部前面が連続する掘り上げ板と
を具備し、
前記掘り上げ板は下端部が互いに内側に向って捻られた内向き捻り曲面に形成するとともに上端部が互いに外側に向って捻られた外向き捻り曲面に形成した
ことを特徴とする深耕作業機。
【請求項２】
掘り上げ板は、下端部の内向き捻り曲面と上端部の外向き捻り曲面との間を捻り曲面で連続した中間捻り曲面に形成したことを特徴とする請求項１記載の深耕作業機。
【発明の詳細な説明】
【０００１】
【発明の属する技術分野】
本発明は土壌表面の耕盤層を破砕するとともにこの耕盤層の下層の硬化した心土層も破砕して、耕盤層に透水性をもたせるとともに心土層内に空気を供給でき、また、根菜類の掘取りもできる深耕作業機に関する。
【０００２】
【従来の技術】
従来この種のサブソライ作業機としては、ナイフの先端にチゼルを取付け、圃場に溝を形成する構成が採られている。
【０００３】
また、例えば、特開平９−３２２６０１号公報に記載されているように、チゼルを先端に取付けたナイフの前側縁に沿って摩擦減少板を取付け、この摩擦減少板の前面上端部を側方に向って捻った排出捩り曲面に形成するとともに、この摩擦減少板の排出捩り曲面の下方は前面に向った平面に形成したサブソライ作業機が知られている。
【０００４】
【発明が解決しようとする課題】
上記従来の構成のサブソライ作業機では、チゼルとナイフとによって圃場に溝を形成することはできるが、耕盤層に充分に透水性をもたせるとともに心土層内に空気を供給できるように耕盤層と心土層の破砕が行われない問題があった。
【０００５】
また、前記特開平９−３２２６０１号公報に記載されているサブソライ作業機では、摩擦減少板によってナイフの前側縁に土壌が付着することを防止するもので、摩擦減少板によって耕盤層と心土層の破砕ができるとしても、摩擦減少板の上端部の排出捩り曲面から下部は前面に向った平面に形成されているため、深い位置の心土層を破砕する作業ではナイフの前側縁に掛かる抵抗より大きい抵抗に抗してサブソライ作業機を牽引する必要があった。
【０００６】
本発明は上記問題点に鑑みなされたもので、一対の掘り上げ板によって、この両掘り上げ板の間の土壌を確実に破砕でき、少ない抵抗で耕耘作業ができる深耕作業機を提供するものである。
【０００７】
【課題を解決するための手段】
請求項１記載の発明の深耕作業機は、作業機フレームの両側部にそれぞれ取付けられた一対の取付け主板と、この両側の各取付け主板の下端部にそれぞれ取付けられたプラウ体と、前記両側の各取付け主板の前側縁に沿ってそれぞれ取付けられ前記プラウ体の前面と同一面で下端部前面が連続する掘り上げ板とを具備し、前記掘り上げ板は下端部が互いに内側に向って捻られた内向き捻り曲面に形成するとともに上端部が互いに外側に向って捻られた外向き捻り曲面に形成したものである。
【０００８】
そして、作業機のプラウ体と掘り上げ板を土壌中に位置させて牽引することにより、左右両側のプラウ体によって切り込まれた土壌は掘り上げ板の下端部の内向き捻り曲面によって押し上げられて浮き上がり、プラウ体の土壌の切削力と掘り上げ板の捻り曲面によって土壌を浮き上がらせる力により掘り上げ板の土壌に対する抵抗が少なく、プラウ体と掘り上げ板は土壌中を破砕しながら移動される。また、掘り上げ板によって浮き上がるように掘り上げられた土壌は掘り上げ板の上端部の外向き捻り曲面によって外側に掘り起こされて反転される。
【０００９】
請求項２記載の発明の深耕作業機は、請求項１記載の深耕作業機において、掘り上げ板は、下端部の内向き捻り曲面と上端部の外向き捻り曲面との間を捻り曲面で連続した中間捻り曲面に形成したものである。
【００１０】
そして、作業機のプラウ体と掘り上げ板を土壌中に位置させて牽引することにより、左右両側のプラウ体によって切り込まれた土壌は掘り上げ板の下端部の内向き捻り曲面によって押し上げられて浮き上がり、掘り上げ板によって浮き上がるように掘り上げられた土壌は掘り上げ板の中間捻り曲面により小さい抵抗で掘り上げ板の上端部の外向き捻り曲面に案内されて外側に掘り起こし反転される。また、プラウ体の土壌の切削力と掘り上げ板の捻り曲面によって浮き上がった土壌は掘り上げ板の中間捻り曲面に沿って上端部の外向き捻り曲面に案内され、作業機は少ない抵抗で土壌中を移動できる。
【００１１】
【発明の実施の形態】
次に本発明の実施の形態を図面に基づいて説明する。
【００１２】
図１に示すように、断面中空矩形状の作業機フレーム１の両端部には、取付け主板２が作業機フレーム１に左右方向の位置を調整可能でかつ取付け角度を調整可能にそれぞれ取付けられている。
【００１３】
図５に示すように、前記両側の各取付け主板２は幅方向が前後方向となるとともに厚み方向が左右方向になる縦長の細幅板にてそれぞれ形成され、この各取付け主板２の下端側は前側に向って湾曲されている。この各取付け主板２の上端部は複数の厚み方向の取付け孔３が貫通形成され、この各取付け主板２の上端部は各支え板４の後面に平行に突設した突片５の間に挿入し、この各突片５に形成した複数の挿通孔６と前記突片５に形成した取付け孔３とを適宜選択して挿通したピン７にて各取付け主板２を前後方向の取付け角度を調整して取付ける。
【００１４】
また、前記各支え板４を前記作業機フレーム１の両側部の後面に幅方向の位置を調整して当接し、この各支え板４に対応して前記作業機フレーム１の前面に当板８をそれぞれ当接し、この各当板８と各支え板４とにそれぞれ貫通形成した固定孔に挿通されたボルト11にナットを締付け螺合することにより前記支え板４を作業機フレーム１に左右方向の位置を調整して取付ける。
【００１５】
また、図６に示すように、前記各取付け主板２の前側縁に沿ってそれぞれ断面円形の取付け縦杆13が取付けられている。この各取付け縦杆13は前記各取付け主板２とともに左右から締付け片14，14にて挟着され、この締付け片14，14を貫通したボルト15にナット16を締付けることにより前記各取付け縦杆13が前記各取付け主板２に固着される。
【００１６】
また、前記各取付け主板２の下端部にはそれぞれプラウ体17が取付けられている。このプラウ体17の裏面に固着した支え片18，19が前記取付け主板２の下端部を挟着してこの取付け主板２の取付け孔と前記支え片18，19の取付け孔20とを貫通したボルト21にナットを締付け螺合することによりプラウ体17が前記取付け主板２に固着される。
【００１７】
また、図１ないし図４に示すように、前記両側の各取付け主板２の前側縁に沿って掘り上げ板22，23の前面がそれぞれ前記プラウ体17の前面と同一面で下端部前面が連続するように前記各取付け縦杆13にそれぞれ取付けられている。
【００１８】
この掘り上げ板22，23は、下端部が互いに内側に向って捻られた内向き捻り曲面24に形成するとともに上端部が互いに外側に向って捻られた外向き捻り曲面25に形成され、さらに、この掘り上げ板22，23は、下端部の内向き捻り曲面24と上端部の外向き捻り曲面25との間は捻り曲面で連続した中間捻り曲面26に形成され、下端部から上端部まで略螺旋状の曲面で連続されている。
【００１９】
そして、図７に示すように、この掘り上げ板22，23の上端部は前記各取付け縦杆13を挿通した固定片27にボルト28にて固定され、下端部は前記プラウ体17の上端部に形成した凹段部29に係合して前記プラウ体17の前面と掘り上げ板22，23の前面都が同一面で連続されるように保持され、前記プラウ体17の凹段部29に掘り上げ板22，23の下端部がボルト30にて固着されている。
【００２０】
また、前記作業機フレーム１の左右方向の中央部および両側部に牽引用のアーム31，32が取付けられている。
【００２１】
次にこの実施の形態の作用を説明する。
【００２２】
プラウ体17と掘り上げ板22，23を土壌中に位置させて牽引することにより、左右両側のプラウ体17によって切り込まれた土壌は掘り上げ板22，23の下端部の内向き捻り曲面24によって左右から押し上げられて浮き上がり、プラウ体17の土壌の切削力と掘り上げ板22，23の内向き捻り曲面24によって土壌を浮き上がらせる力により掘り上げ板22，23の土壌に対する抵抗が少なく、プラウ体17と掘り上げ板22，23は土壌中を破砕しながら移動される。
【００２３】
また、掘り上げ板22，23によって浮き上がるように掘り上げられた土壌は掘り上げ板22，23の中間捻り曲面26により小さい抵抗で掘り上げ板22，23の上端部の外向き捻り曲面25に案内され、この外向き捻り曲面25にて外側に掘り起こし反転される。
【００２４】
したがって、掘り上げ板22，23によって土壌表面の耕盤層を破砕するとともにこの耕盤層の下層の硬化した心土層も破砕でき、耕盤層に透水性をもたせるとともに心土層内に空気を供給できる。
【００２５】
また、プラウ体17と掘り上げ板22，23とにて左右から土壌を浮き上がらせるように掘り上げるので根菜類の掘取りにも利用できる。
【００２６】
なお、前記取付け縦杆13は二本平行状に設けて強度を高めることができる。
【００２７】
【発明の効果】
請求項１記載の発明によれば、左右両側のプラウ体によって切り込まれた土壌は掘り上げ板の下端部の内向き捻り曲面によって押し上げられて浮き上がり、プラウ体の土壌の切削力と掘り上げ板の捻り曲面によって土壌を浮き上がらせる力により掘り上げ板の土壌に対する抵抗が少なく、プラウ体と掘り上げ板は土壌中を破砕しながら移動でき、掘り上げ板によって浮き上がるように掘り上げられた土壌は掘り上げ板の上端部の外向き捻り曲面によって外側に掘り起こされて反転され、掘り上げ板に掛かる抵抗が少なく、作業機の牽引力が小さくても確実に掘り上げ板によって土壌表面の耕盤層を破砕するとともにこの耕盤層の下層の硬化した心土層も破砕でき、耕盤層に透水性をもたせるとともに心土層内に空気を供給できる。また、プラウ体と掘り上げ板とにて左右から土壌を浮き上がらせるように掘り上げるので根菜類の掘取りにも利用できる。
【００２８】
請求項２記載の発明によれば、掘り上げ板の下端部の内向き捻り曲面によって押し上げられて浮き上がるように掘り上げられた土壌は掘り上げ板の中間捻り曲面により小さい抵抗で掘り上げ板の上端部の外向き捻り曲面に案内されて外側に掘り起こし反転され、プラウ体の土壌の切削力と掘り上げ板の内向き捻り曲面によって浮き上がった土壌は掘り上げ板の中間捻り曲面に沿って上端部の外向き捻り曲面に案内され、作業機は少ない抵抗で土壌中を移動できる。
【図面の簡単な説明】
【図１】本発明の一実施の形態を示す深耕作業機の正面図である。
【図２】同上深耕作業機の掘り上げ板部の斜め前面側からの斜視図である。
【図３】同上深耕作業機の掘り上げ板部の斜め右側面側からの斜視図である。
【図４】同上深耕作業機の掘り上げ板部の斜め左側面側からの斜視図である。
【図５】同上深耕作業機の掘り上げ板の取付け部の斜視図である。
【図６】同上深耕作業機の取付け主板に取付け縦杆を取付けた部分を示す背面図である。
【図７】同上深耕作業機の取付け縦杆に掘り上げ板を取付けた部分を示す背面図である。
【符号の説明】
１    作業機フレーム
２    取付け主板
17    プラウ体
22，23    掘り上げ板
24    内向き捻り曲面
25    外向き捻り曲面
26    中間捻り曲面
【図１】
0003992260.tif 000002
【図２】
0003992260.tif 000003
【図３】
0003992260.tif 000004
【図４】
0003992260.tif 000005
【図５】
0003992260.tif 000006
【図６】
0003992260.tif 000007
【図７】
0003992260.tif 000008